(57)【特許請求の範囲】
【請求項１】
ケーシング（２２）の前方排出を行う、即ちケーシング（２２）を小火器の前部に持って来て排出する自動または手動サイクルの小火器であって、
前記小火器が、フレーム（１）、フレーム（１）に取り付けられた銃身（２）を有し、また前記小火器が火室（３）と可動要素（４）を備え、可動要素（４）が反動時にフレーム（１）に対して、後方に動くことができ、
可動要素（４）が、反動時にケーシング（２２）を捕捉して運ぶ引き抜き子（８）と火室（３）を閉じるための要素（７）とを有し、
前記小火器が、さらに、前記閉鎖要素（７）に取り付けられた、排出子を有する排出装置と、可動要素（４）の反動時及び排出時に使用済みケーシング（２２）を案内する案内手段（２８、２９、３０、３１）とを有し、該案内手段が、排出時に該ケーシング（２２）を傾け、前方に案内する小火器において、
前記小火器が、レバー（１２）を有し、該レバーが、引き抜き子（８）の隣に、可動要素（４）の一つに旋回式に取り付けられ、
前記レバー（１２）が、回転時に引き抜き子（８）と結合し、協働するように配置された回転可能な偏心カム（１１）に接続され、そして、該引き抜き子（８）が、第１の横軸（８’）に対して旋回するように取り付けられ、レバー（１２）が旋回するとき、該偏心カム（１１）が回転し、該引き抜き子（８）を該第１の横軸（８’）に対して旋回させ、ケーシング（２２）を解除させることができ、
フレーム（１）が少なくとも一つの制御止め（１８）を備え、該制御止めが、可動要素（４）の前方運動時にレバー（１２）の軌道内にあって、この運動時に、ケーシング（２２）が引き抜き子（８）から解除されなければならない瞬間に、前述のようにレバー（１２）を旋回させる、ことを特徴とする小火器。
【請求項２】
可動要素（４）がスライダー（５）を含み、レバー（１２）が、第２の横軸（１３）の回りを旋回可能になるように、取り付けられていることを特徴とする請求項１記載の小火器。
【請求項３】
前記旋回のあと、カム（１１）が、引き抜き子（８）が傾斜前の位置に戻ることを可能にする位置に、レバー（１２）を戻すための手段が備えられていることを特徴とする請求項１または２記載の小火器。
【請求項４】
レバー（１２）を戻す前記手段が、レバー（１２）に作用する戻りばね（１４）を有することを特徴とする請求項３記載の小火器。
【請求項５】
レバー（１２）を戻す前記手段が、戻り止め（１７）を有し、該止めがフレーム（１）に対して固定してあり、かつ制御止め（１８）よりも前方に配置してあることを特徴とする請求項３または４記載の小火器。
【請求項６】
少なくとも一つの案内止め（１９、２０）が備えてあり、該止めがフレーム（１）に対して固定してあり、かつ可動要素（４）の反動運動の終りにレバー（１２）と協働することができることを特徴とする請求項５記載の小火器。
【請求項７】
レバー（１２）が、鈍角をなす二つのアーム（１５および１６）を有し、上部アーム（１５）が戻り止め（１７）と協働し、下部アーム（１６）が制御止め（１８）と協働することを特徴とする請求項５または６記載の小火器。
【請求項８】
排出装置の案内手段が、軸（２９）のまわりに旋回式に取り付けられた排出レバー（２８）から成り、また該レバーが、ケーシング（２２）のための通路（３１）を備えた案内部品（３０）を有し、
排出レバー（２８）が、可動要素（４）が前方に戻ったときに、前記レバーの通路（３１）の入口がケーシング（２２）の軌道内に配置される下部位置と、上部位置との間で旋回し、また、排出レバー（２８）が上部位置に近づいたときに通路（３１）からケーシング（２２）を排出するために第２のボタン（３３）が備えてあり、
第２のボタン（３３）が、好ましくは、可動要素（４）の一つと一体をなすことを特徴とする請求項１から７の中のいずれか１つに記載の小火器。
【請求項９】
排出子が、閉鎖要素（７）上、引き抜き子（８）近くに取り付けられ、該排出子が、引き抜き子（８）に捕えられたケーシング（２２）に大きなトルクを及ぼさないようになっていることを特徴とする請求項１から８の中のいずれか１つに記載の小火器。
【請求項１０】
排出子が、閉鎖要素（７）の開口（２７）に取り付けられた、ばね（２６）を有するボタン（２５）を有することを特徴とする請求項９記載の小火器。
【発明の詳細な説明】
【０００１】
【発明の属する技術分野】
本発明は、ケーシングの前方排出型の、自動または手動サイクルの小火器であって、
前記小火器が、フレームと該フレームに取り付けられた銃身とを有し、また該小火器が火室と可動要素とを備え、該可動要素が反動時にフレームに対して、後方に動くことができ、
該可動要素が、反動時にケーシングに沿って動く引き抜き子と火室を閉じるための要素とを有し、
前記小火器が、さらに、前記閉鎖要素に取り付けられた、排出子を有する排出装置と、ケーシングのための案内手段とを有し、該案内手段が、可動要素の反動時にケーシングの通過を可能にし、したがって引き抜きを可能にするが、しかし前記案内手段が排出時にケーシングを傾ける小火器に関する。
【０００２】
本発明は、特に、可動要素の進路がグリップと一体化される、いわゆる“ブルパップ”銃に関する。
【０００３】
【従来の技術】
ケーシングの排出は進歩しており、ケーシングは、排出管の出口にある転向器によって最適の方向に向きを変えられるので、ケーシングの排出軌道と射撃者すなわち射撃者の顔とがぶつかるおそれは回避されている。
【０００４】
このような小火器は、どちらの手でも操作することができ、したがって右ききの射撃者にも左ききの射撃者にも適合するものであるという点で有利なものである。
【０００５】
このタイプの公知の小火器の一つがヨーロッパ特許第０，７１７，２５５号明細書に記載されている。
【０００６】
この小火器の場合、排出装置の案内手段が排出レバーから成り、該レバーが、軸のまわりに旋回式に取り付けられ、また該レバーがケーシングのための通路を備えた案内部分を有し、この排出レバーが、可動要素が前方に戻ったときに、前記レバーの通路の入口がケーシングの軌道内に配置される下部位置と、上部位置との間で傾き、また、排出レバーが上部位置に近づいたときに前記通路からケーシングを排出するために、ボタンが備えてあり、このボタンが、好ましくは、可動要素の一つと一体をなす。
【０００７】
【発明が解決しようとする課題】
これらの小火器の場合に起りうることは、前方に排出しようとしてケーシングを傾けられた時でもまだ引き抜き子がケーシングのネックを捕えており、したがって正常な排出と新たな弾の送り込みを妨害するということである。
【０００８】
本発明の目的は、この欠点を是正し、ケーシングが傾けられたとき引き抜き子がケーシングを確実に解放するようにすることである。
【０００９】
【課題を解決するための手段】
この目的のために、前記小火器は、レバーを有し、該レバーが、引き抜き子の隣に、他の可動要素の一つに旋回式に取り付けられ、前記レバーに偏心カムが備えられ、該カムが、傾斜式に取り付けられた引き抜き子と協働し、したがって、このレバーが旋回するとき、カムが引き抜き子を傾斜させ、したがって引き抜き子にケーシングを解放させることができ、またフレームが少なくとも一つの制御止めを備え、該制御止めが、可動要素の前方運動時にレバーの軌道内にあって、この運動時に、ケーシングが引き抜き子から解放されなければならない瞬間に、前述のようにレバーを旋回させる。
【００１０】
前記レバーはスライダーに旋回式に取り付けることができる。
【００１１】
好ましくは、前記旋回のあと、カムが、引き抜き子が傾斜前にあった位置に戻ることを可能にする位置に、レバーを戻すための手段が備えられる。
【００１２】
レバーを戻す前記手段は、レバーに作用する解放ばねを有することができる。
【００１３】
レバーを戻す前記手段は、戻り止めをも有することができ、該止めはフレームに対して固定してあり、かつ前記制御止めよりも前方に配置される。
【００１４】
【発明の実施の形態】
以下、本発明の特徴をさらに十分に説明するために、添付の図面を参照しつつ、本発明の実施態様について説明する。この実施態様は単なる一つの例であり、いかなる意味でも本発明を限定するものではない。
【００１５】
図１〜３は、ガス圧式小火器の一部と回転式発射装置を示す。この回転式発射装置は、フレーム１、該フレームに取り付けられた銃身２とを有し、銃身２には、後部に火室３が備えられ、また反動時に後方に動くいくつかの可動要素４が備えてある。
【００１６】
前記可動要素４は、スライダー５、銃尾ボルト６、引き抜き子８、および撃針９を有し、銃尾ボルト６には、弾丸が発射されるとき火室３を閉鎖するロック要素７が前部に備えてある。
【００１７】
この引き抜き子８は、スライダー５の上で、横方向軸８´のまわりに旋回し、ばね１０が、後端に作用して、引き抜き子８を図３に示す引き抜き位置に押し込む。
【００１８】
解放レバー１２に取り付けられたカム１１は、前記引き抜き子８の後部と協働し、ばね１０に対抗して引き抜き子８を旋回させることができる。
【００１９】
レバー１２は、スライダー５上に取り付けてあり、このスライダー５内で旋回する横軸１３を有している。戻りばね１４が、たとえば、スライダーの一部分と軸１３の平坦化部分との間に取り付けてあり、このばねは、軸１３の回転時に軸１３に復元トルクを及ぼす。
【００２０】
カム１１が軸１３の遠隔端に配置してある。
【００２１】
レバー１２は、上部アーム１５と下部アーム１６とを有し、これらのアームは鈍角をなしている。これら二つのアームは、スライダー５の運動時に、フレーム１上に配置してあるいくつかの止め、すなわち、前部から後部へ、下部戻り止め１７、上部制御止め１８、ならびに一対の案内止め１９および２０、と協働する。
【００２２】
引き抜き子８は通常の構造のものであり、その前端はフック２１を形成し、フック２１は、火室３内に配置されている、発射前または発射後の弾薬筒のケーシング２２のネックを捕えることができる。この詳細を図４に示す。
【００２３】
これらの止め１７〜２０は、引き抜き子８が引き抜かれるケーシング２２を解放して、排出するようにしなければならないときに、レバー１２が旋回して、カム１１が引き抜き子８を旋回させるようにする位置に配置してある。このことについては以下で詳しく説明する。
【００２４】
銃尾ボルト６の前記閉鎖要素７は、前面２３を有し、撃針９のための軸方向開口２４と交差している。
【００２５】
排出のために、排出装置が備えてあり、該装置は、ばね２６を有するボタン２５からなる排出子を有し、閉鎖要素７の開口２７内に取り付けてある。ばね２６はボタン２５を外側に押す。
【００２６】
排出装置は、前記の排出子のほかに、排出レバー２８から成り、火室３の後方に取り付けてある案内手段を有する。このレバー２８は、図３に示す下部位置と図１に示す上部位置との間で、フレーム１に対して、横軸２９のまわりに旋回する。
【００２７】
はじき出しレバー２８は案内部分３０を有し、部分３０はケーシング２２のための通路３１と交差している。
【００２８】
下部位置においては、斜め上方を向いた通路３１の入口は、可動要素４が前方にふたたび戻るときはケーシング２２の軌道上にある。
【００２９】
上部位置においては、案内部分３０はケーシング２２の軌道の上方にあり、したがって、ケーシング２２は、反動を受けるとき、前記案内部分３０の下を通ることができ、したがって引き抜かれる。
【００３０】
この上部位置においては、通路３１は、フレーム１に銃身２の上方で取り付けてある排出管３２に開口している。
【００３１】
ケーシング２２を通路３１の外に排出することができるようにするために、第２のボタン３３がスライダー５に取り付けてある。
【００３２】
前記小火器におけるケーシング２２の引き抜きと前方排出とは、大体において、たとえばヨーロッパ特許第０，７１７，２５５号明細書に述べられているような公知の方法で行われる。したがって、以後、引き抜きと排出とについては、本発明を理解するのに必要である場合、したがって公知のものと異なる場合に限って説明する。
【００３３】
発射の瞬間、可動要素４は、前方位置にあり、発射の結果として反動を受ける。
【００３４】
可動要素４の反動運動の間、引き抜き子８のフック２１はケーシング２２のネックを捕えている。
【００３５】
排出子は、引き抜き子８の近くに配置してあるので、ケーシング２２に大きいトルクを及ぼさず、したがってケーシング２２は、可動要素４の反動運動の全体にわたって、閉鎖要素７の前面２３に相対する位置にとどまる。
【００３６】
反動運動が開始されると、レバー１２の上部アーム１５が戻り止め１７に接触し、レバー１２は、図４に示すような位置に置かれる。
【００３７】
カム１１は、引き抜き子８には作用せず、引き抜き子は引き抜き位置にとどまる。
【００３８】
ある特定の瞬間、下部アーム１６は、戻り止め１７よりも下にあって、アーム１６の軌道上で戻り止め１７よりも後方にある制御止め１８に接触し、したがってこのアーム１６は、この制御止め１８を通過するために、図５に示す位置に向って旋回するように強制される。
【００３９】
レバー１２は、この止めを通過すると、戻りばね１４の作用により、静止位置まで旋回する。
【００４０】
反動運動の終りに、上部アーム１５が下部案内止め１９に接触し、アーム１５は案内止め１９と２０との間で案内される。レバー１２に起こりうる振動が止められ、レバー１２は図６に示す位置に押し込まれる。
【００４１】
反動運動のあと、ケーシング２２はふたたび前方に来て、さらに引き抜き子８と他の可動要素４とによって駆動され、前記の前面２３に接触する位置で静止する。
【００４２】
レバー１２は、案内止め１９と２０によって形成される漏斗状部分から出るとすぐに、戻りばね１４の作用により、静止位置に戻る。
【００４３】
前記戻り運動時に下部アーム１６の遠隔端が従う軌道は、制御止め１８を通過する。このアーム１６が制御止め１８にふたたびぶつかったとき、レバー１２は、図７〜９に矢印３４で示す向きに旋回しなければならない。レバー１２はスライダー５とともに前方に運動しているからである。
【００４４】
明らかに、レバー１２が旋回するとき、カム１１はレバー１２の旋回ピンのまわりに円運動をする。
【００４５】
反動運動時のレバー１２の前記旋回運動の間、および図６に示される位置と図７に示される位置との間でのレバー１２の旋回運動の間、カム１１は引き抜き子８にどんな積極的作用も及ぼさない。
【００４６】
引き抜き子８と他の可動要素４が図７に示す位置にある瞬間と、引き抜き子８とこれらの可動要素４が図８に示す位置にある瞬間との間に、ケーシング２２は、そのときまで図３に示す下部位置にあった排出レバー２８の通路３１内にはいる。
【００４７】
排出レバー２８は、引き抜き子の前部の形状と排出子ボタン２５の形状とから生じる結合動作により、図８に示すようにケーシング２２が引き抜き子８から正常に解放されるまで、ケーシング２２を上方に向って旋回させる。
【００４８】
同時に、レバー１２の旋回運動の結果として、カム１１が引き抜き子８の後部を押し戻して、引き抜き子を図８と９に示すように旋回させる。
【００４９】
引き抜き子８は、レバー１２が図８に示す位置にあるとき、最大限の旋回をした状態にあり、したがって前述のようにケーシング２２の完全な解放が保証される。
【００５０】
この瞬間から、ケーシング２２は、可動要素４によって上部位置に押し戻されようとしている排出レバー２８によって案内され、そのあと、ケーシング２２は、ふたたび、可動要素４によって駆動される第２のボタン３３により、前方に、通路３１の外部、そして排出管３２内に押される。
【００５１】
可動要素４の前方への戻りしたがってケーシング２２の持ち上げと排出が行われている間に、次の弾薬筒が通常の方法で送り込まれる。
【００５２】
これらの可動要素４が前方位置に達する前に、レバー１２は、ふたたび、矢印３４で示されるものと反対の向きに旋回させられる。その結果、カム１１は引き抜き子８に対する圧力を低下させ、引き抜き子８は、ばね１０の作用により、もとの引き抜き位置に戻りはじめる。
【００５３】
制御止め１８を通過したあと、レバー１２の前記戻り旋回が、戻りばね１４の作用だけで起こりうるということは保証されない。
【００５４】
一方で、制御止め１８の作用によって生じる旋回運動は、割合に大きく、他方、レバー１２は、引き抜き子の最大旋回運動のあともまだわずかに旋回しつつあるため、動かなくなることがありうる。
【００５５】
戻り止め１７は、レバー１２が、カム１１がもはや引き抜き子８を旋回後の位置に保持しない位置に戻ることを確実にする。
【００５６】
可動要素４の戻り運動の終わり近くに、上部アーム１５は、図１０に示すように、戻り止め１７にぶつかる。
【００５７】
したがって、戻り止め１７がレバー１２に力を及ぼし、図４に示すようにレバー１２を出発位置に戻す。このとき、カム１１はもはや引き抜き子８に圧力を及ぼさず、このあと、前記サイクルを再開することができる。
【００５８】
レバー１２は、ケーシング２２が実際にはじき出されなければならないとき、絶対的な確実さで引き抜き子８がケーシング２２を解放する、という結果を与える。
【００５９】
前記実施例には多くの変形を加えることができるが、それらが依然として本発明の範囲内にあることは明らかである。
【００６０】
特に、銃身２は必ずしもフレーム１に対して固定する必要はない。本発明は、たとえば、可動銃身を有するタイプの小火器に適用することができる。
【００６１】
この小火器には、必ずしも案内止め１９と２０を備える必要はない。また、可動要素４の前方戻りの終了時にレバー１２がその出発位置に戻ることを戻りばね１４が保証しうるならば、戻り止め１７さえも除くことが可能である。
【図面の簡単な説明】
【図１】本発明による小火器の一部分の側面図の略図である。
【図２】図１に示す矢印Ｆ２の方向から見た正面図である。
【図３】図１の小火器部分の縦断面図であるが、別の配置、すなわち排出の瞬間の配置を示す。
【図４】図３の断面の一部分を拡大して示すが、それぞれ、一連のケーシングの引き抜きと排出の段階を示す図である。
【図５】図３の断面の一部分を拡大して示すが、それぞれ、一連のケーシングの引き抜きと排出の次の段階を示す図である。
【図６】図３の断面の一部分を拡大して示すが、それぞれ、一連のケーシングの引き抜きと排出の次の段階を示す図である。
【図７】図３の断面の一部分を拡大して示すが、それぞれ、一連のケーシングの引き抜きと排出の次の段階を示す図である。
【図８】図３の断面の一部分を拡大して示すが、それぞれ、一連のケーシングの引き抜きと排出の次の段階を示す図である。
【図９】図３の断面の一部分を拡大して示すが、それぞれ、一連のケーシングの引き抜きと排出の次の段階を示す図である。
【図１０】図３の断面の一部分を拡大して示すが、それぞれ、一連のケーシングの引き抜きと排出の次の段階を示す図である。
【符号の説明】
１  フレーム
２  銃身
３  火室
４  可動要素
７  閉鎖要素
８  引き抜き子
１１  カム
１２  レバー
１８  制御止め
２２  ケーシング
２５、２６  排出子
【図１】
0004092058.tif 000002
【図２】
0004092058.tif 000003
【図３】
0004092058.tif 000004
【図４】
0004092058.tif 000005
【図５】
0004092058.tif 000006
【図６】
0004092058.tif 000007
【図７】
0004092058.tif 000008
【図８】
0004092058.tif 000009
【図９】
0004092058.tif 000010
【図１０】
0004092058.tif 000011